(57)【特許請求の範囲】
【請求項１】
目的地を設定した後、その目的地までの誘導経路を探索し、誘導経路に沿って車両を誘導する経路誘導機能を有するナビゲーション装置のクイズ表示方法において、
物件名に対応させて、物件の位置や、物件の画像などの物件詳細情報を記憶するデータベースを設け、
ナビゲーション装置をクイズモードに設定し、
目的地設定に際して、目的地を決定するために表示した画面内に、前記データベースに記憶されている物件の位置が存在するか調べ、
存在すれば、物件位置にクイズ用のアイコンを表示し、
クイズ開始の指示があれば、該物件の物件詳細情報に含まれる画像を用いたクイズを作成して表示部に表示する、
ことを特徴とするナビゲーション装置のクイズ表示方法。
【請求項２】
目的地を設定した後、その目的地までの誘導経路を探索し、誘導経路に沿って車両を誘導する経路誘導機能を有するナビゲーション装置のクイズ表示方法において、
物件名に対応させて、物件の位置や、物件の画像などの物件詳細情報を記憶するデータベースを設け、
ナビゲーション装置をクイズモードに設定し、
誘導経路走行時に、経路表示している画面内に、前記データベースに記憶されている物件の位置が存在するか調べ、
存在すれば、物件位置にクイズ用のアイコンを表示し、
クイズ開始の指示があれば、該物件の物件詳細情報に含まれる画像を用いたクイズを作成して表示部に表示する、
ことを特徴とするナビゲーション装置のクイズ表示方法。
【発明の詳細な説明】
【０００１】
【発明の属する技術分野】
本発明はナビゲーション装置のクイズ表示方法に係わり、特に、ナビゲーション装置に設けられている、物件データベースの詳細情報を用いてクイズを作成し、表示することにより、ナビゲーション装置としての本来の機能を発揮しつつ、別の楽しみを提供するナビゲーション装置に関する。
【０００２】
【従来の技術】
車両の走行案内を行い、運転者が所望の目的地に到達できるようにしたナビゲーション装置は、車両の位置を検出して、ＤＶＤ−ＲＯＭ等の記憶媒体から車両位置周辺の地図データを読み出し、地図画像をディスプレイ画面に描画するとともに該地図画像上の所定箇所に車両位置マーク（自車位置マーク）を重ねて描画する。そして、車両の移動により現在位置が変化するに従い、画面の自車位置マークを移動したり、或いは自車位置マークは画面中央等の所定位置に固定して地図をスクロールして、常に、車両位置周辺の地図情報が一目で判るようになっている。かかるナビゲーション装置は、出発地から目的地までの誘導経路を探索し、該誘導経路を地図上に表示するとともに交差点案内（交差点拡大図、進行方向の表示）を行う経路誘導機能を備えている。
【０００３】
【発明が解決しようとする課題】
ナビゲーション装置は、従来、自車位置付近の地図表示や目的地検索、又は、目的地までの経路誘導というような、ナビゲーション本来の表示しかできなかった。ところで、最近は地図情報記憶媒体として、ＤＶＤ等の大容量記憶媒体が用いられるようになっている。そこで、かかる大容量記憶というＤＶＤの特徴を利用して、ナビゲーションを行いつつ、別の楽しみをユーザーに提供できれば、便利であり、ナビゲーション装置の製品価値を向上することができる。
以上より、本発明の目的は、ナビゲーションを行いつつ、ユーザーがクイズを楽しめるようにすることである。
又、本発明の別の目的は、クイズを楽しみつつ、観光地の物件について学んだり、興味のある物件位置を地点登録できるようにすることである。
【０００４】
【課題を解決するための手段】
上記課題は、本発明によれば、物件名に対応させて、物件の位置や、物件の画像などの物件詳細情報を記憶するデータベースを設け、該物件データベース内の、物件詳細情報に含まれる画像を用いたクイズを作成して表示部に表示することにより達成される。
たとえば、目的地を決定する時に表示した画面内に、前記物件の位置が存在するか調べ、存在すれば、物件位置にクイズ用のアイコンを表示し、クイズ開始の指示があれば、該物件の画像を利用したクイズを作成し、表示する。
又、誘導経路走行時に、経路表示している画面内に、前記物件の位置が存在するか調べ、存在すれば、物件位置にクイズ用のアイコンを表示し、クイズ開始の指示があれば、該物件の画像を利用したクイズを作成し、表示する。
以上のようにすれば、本来のナビゲーションを行いつつ、ユーザーにクイズを提供でき、ユーザーはクイズを楽しめ、又、クイズをしながらクイズに表示された物件について学んだり、該物件位置を地点登録することができる。
【０００５】
【発明の実施の形態】
（Ａ）本発明の概略説明
図１は本発明の第１の概略説明図であり、目的地設定時にクイズを表示する場合である。図中、ＣＳＲはカーソル、ＱＩはクイズ用のアイコン、ＱＴはクイズ、ＱＰは物件の画像、ＩＢは詳細ボタン、ＡＢは登録ボタンである。
本発明のナビゲーション装置には、物件名に対応させて、物件の位置や、画像、電話番号などの物件詳細情報を記憶するデータベースを設けており、ナビゲーション装置は該データベースを用いて電話番号検索等で目的地を表示させ、所望の物件がカーソルＣＳＲの中央にくるように表示する。この時、物件詳細情報に画像が含まれている物件の位置が画面内に存在するか調べ、存在すれば、物件位置にクイズ用のアイコンＱＩを表示する（図１（ａ））。そして、クイズ開始の指示があれば、画面を分割して一方には今までの地図表示をし、もう一方には該物件の画像ＱＰを利用したクイズＱＴを作成し、表示する（図１（ｂ））。又、該物件に対して、詳細ボタンＩＢを選択すると該物件の詳細情報が表示され、登録ボタンＡＢを選択すると、該物件の地点登録が行える。これにより、ユーザーはナビゲーションを行いつつクイズを楽しめ、該物件について学んだり、興味のある物件位置を地点登録できる。
【０００６】
図２、図３は本発明の第２の概略説明図であり、誘導経路走行時にクイズを表示する場合である。図中、ＣＭは自車位置マーク、ＲＴは誘導経路、ＮＩは物件データベース内の、物件詳細情報に画像が含まれている物件のアイコン、ＱＩはクイズ用のアイコン、ＱＴはクイズ、ＱＰは物件の画像、ＩＢは詳細ボタン、ＡＢは登録ボタンである。
自車位置ＣＭが誘導経路ＲＴ上を走行していくと（図２（ａ））、通常であれば物件位置が表示画面内に入ると、物件アイコンＮ１がそのまま表示される。しかし、クイズモードが選択されている場合は、表示画面内に物件位置が入ってくると、図２（ｂ）に示すように、物件アイコンＮ１はクイズアイコンＱＩに替わる。そして、クイズ開始の指示があれば、画面を分割して一方には今までの経路案内表示を続けて表示する（図３）。もう一方には該物件の画像ＱＰを利用したクイズＱＴを作成し、表示する。又、該物件に対して、詳細ボタンＩＢを選択すると該物件の詳細情報が表示され、登録ボタンＡＢを選択すると、該物件の地点登録が行える。これにより、ユーザーはナビゲーションを行いつつクイズを楽しめ、該物件について学んだり、興味のある物件位置を地点登録できる。
【０００７】
（Ｂ）本発明の実施例
（ａ）ナビゲーション装置
図４は本発明のナビゲーション装置の構成図である。図中、１１は地図情報を記憶する地図記憶媒体で、例えばＤＶＤ−ＲＯＭ、１２はＤＶＤ−ＲＯＭからの地図情報の読み取りを制御するＤＶＤ−ＲＯＭ制御部、１３は車両現在位置を測定する位置測定装置であり、移動距離を検出する車速センサー、移動方位を検出する角速度センサー、ＧＰＳレシーバ、位置計算用ＣＰＵ等で構成されている。１４は、ＤＶＤ−ＲＯＭから読み出した地図情報を記憶する地図情報メモリ、１５はメニュー選択操作、拡大／縮小操作、手動地図スクロール等を行うリモコン、１６はリモコンインターフェースである。
【０００８】
１７はナビゲーション装置全体を制御するプロセッサ（ＣＰＵ）、１８は各種プログラム（誘導経路探索処理プログラム等）を記憶するＲＯＭ、１９は処理結果を記憶するＲＡＭ、２０は地図画像を発生するディスプレイコントローラ、２１はディスプレイコントローラが発生した地図画像を記憶するビデオＲＡＭ、２３はメニュー画像を発生するメニュー発生部、２３は物件データベース２６の情報を用いてクイズを作成する、クイズ発生部、２４は各種画像を合成して出力する画像合成部、２５は画像合成部から出力される画像を表示する表示装置、２６は物件に関する情報が格納されている物件データベース、２７は経路案内時の音声や、クイズの正解、不正解を知らせる音声を発生させる音声発生部、２８は音声発生部により発生された音声を外部に出力するスピーカー、２９はバスである。
【０００９】
（ｂ）物件データベース
物件データベースは、ＤＶＤ−ＲＯＭ１１に記憶された地図情報中の、物件名に対応させて、物件の位置や、物件の画像などの物件詳細情報を記憶する。すなわち、図５に示すように、物件データベースは、階層構造になっており、物件データベースＬＤＢ１には、物件毎に、物件名、物件属性ポインタ、画像フラグ、画像ポインタが格納され、物件詳細情報データベースＬＤＢ２には物件の詳細情報、すなわち、経緯度位置、電話番号、住所、物件の説明等が格納され、物件画像デーダベースＬＤＢ３には物件の画像情報が格納されている。尚、画像フラグは物件画像情報の有無を示すフラグである。
【００１０】
（ｃ）目的地設定時のクイズ表示フローチャート
図６は本発明の目的地設定時のクイズ表示フローチャートである。
ナビゲーション装置はユーザーがクイズモードをメニューにより選択したか、否かを判断し（ステップ１０１）、クイズモードが選択されていなければ、通常の目的地設定の地図画面表示を行う（ステップ１１３）。一方、クイズモードが選択されていれば、電話番号等のピンポイント検索による目的地設定画面内に、画像情報を含む物件位置が存在するか、否か、調べる（ステップ１０２）。存在していなければ、ステップ１１３により通常の目的地設定処理を行う。
【００１１】
ステップ１０２において、物件位置が表示画面内に存在していれば、該当物件位置に、物件アイコンに替えてクイズアイコンＱＩ（図１（ａ））を表示する（ステップ１０３）。物件アイコンとは、画像データにより作成する、物件を示すアイコンである。続いて、ユーザーよりクイズ開始の指示があるか、否かを判断し（ステップ１０４）、クイズ開始の指示がなければ、目的地設定の画面表示を続け（ステップ１１４）、ステップ１０１以降の処理を繰り返す。一方、クイズ開始の指示があれば、表示画面を２分割して一方に地図表示、もう一方にはクイズを表示する（図１（ｂ））。この時、クイズ発生部２３（図４）は物件データベース内の詳細情報に含まれる物件の画像ＱＰと、該物件のクイズ（問い）ＱＴよりなるクイズ画像を作成し、表示する（ステップ１０５）。尚、クイズＱＴの選択肢の中に、必ず該物件の名称を入れ、その他は物件データベース中からランダムに抽出する。
【００１２】
続いて、表示されたクイズの正解が選択されたか、否かを判断する（ステップ１０６）。正解が選択されれば正解音、例えばピンポンという音を音声発生部２７（図４）から発生させ、スピーカー２８を通して出力すると共に、正解画面、図７（ａ）を表示する（ステップ１０７）。一方、不正解の場合は不正解音、例えばブーという音を音声発生部２７から発生させ、スピーカー２８を通して出力すると共に、解答を含む不正解画面、図７（ｂ）を表示する（ステップ１１５）。
【００１３】
次に、正解画面（図７（ａ））もしくは、不正解画面（図７（ｂ））中の詳細ボタンＩＢが選択されたか、否かを判断する（ステップ１０８）。詳細ボタンが選択されれば、該物件の名称、場所、電話番号、料金等の詳しい情報と共に、該物件に対する説明を含んだ詳細説明画面（図８）を表示する（ステップ１１６）。
【００１４】
続いて、登録ボタンＡＢ（図７（ａ）、図７（ｂ）、図８）が選択されたか、否かを判断し（ステップ１０９）、選択されれば該物件の地点登録を行う（ステップ１１７）。次に、クイズ画面の表示から一定時間、例えば１分経過したかどうかを判断し（ステップ１１０）、経過していなければクイズ画面の表示を継続し、ステップ１１０以降の処理を繰り返す。一方、一定時間経過すればクイズ画面、及び、クイズアイコンを消去し、通常の地図画面に戻る（ステップ１１１）。
【００１５】
（ｄ）誘導経路走行時のクイズ表示フローチャート
図９は本発明の誘導経路走行時のクイズ表示フローチャートである。尚、図６と同一の処理には、同一のステップ番号を付してある。
ナビゲーション装置はユーザーがメニューによりクイズモードを選択したか、否かを判断し（ステップ１０１）、クイズモードが選択されていなければ、通常の経路誘導時の地図画面表示を続ける（ステップ１１３）。一方、クイズモードが選択されていれば、表示画面内に画像情報を含む物件の位置が入ったか、否かを判断する（ステップ２０１）。入っていなければ、経路誘導を継続し（ステップ２０２）、ステップ１０１以降の処理を繰り返す。一方、物件の位置が画面内に入った場合には、該物件のアイコンＮＩ（図２（ａ））に替えてクイズアイコンＱＩ（図２（ｂ））を表示する（ステップ１０３）。
【００１６】
続いて、クイズ開始の指示があるか、否かを判断し（ステップ１０４）、クイズ開始の指示がなければ、引き続き誘導経路表示を続ける（ステップ２０２）。一方、クイズ開始の指示があれば、ステップ１０５以降の処理を目的地設定時のクイズ表示フローチャート（図６）と同様に行う。
【００１７】
（ｅ）変形例
上記では、本来のナビゲーションを行いつつクイズを表示したが、その他にも様々な表示方法が考えられる。
たとえば、ナビゲーション装置が目的地検索や経路誘導等のナビゲーション本来の処理を行っていない場合等にも、メニュー画面（図１０（ａ））にナビクイズ項目を加えておけば、この項目を選択することにより、図１０（ｂ）のように、クイズのみを行うことができる。
【００１８】
【発明の効果】
以上、本発明によれば、物件名に対応させて、物件の位置や、物件の画像などの物件詳細情報を記憶するデータベースを設け、該物件データベース内の、物件詳細情報に含まれる画像を用いたクイズを作成して表示部に表示するので、クイズを楽しみつつ、観光地の物件について学んだり、興味のある物件位置を地点登録することができる。
本発明によれば、目的地設定の際に表示した画面内に、前記物件の位置が存在するか調べ、存在すれば、物件位置にクイズ用のアイコンを表示し、クイズ開始の指示があれば、該物件の画像を利用したクイズを作成し、表示するので、ナビゲーションを行いつつ、ユーザーがクイズを楽しめるようにすることができる。本発明によれば、誘導経路走行時に、経路表示している画面内に、前記物件の位置が存在するか調べ、存在すれば、物件位置にクイズ用のアイコンを表示し、クイズ開始の指示があれば、該物件の画像を利用したクイズを作成し、表示するので、ナビゲーションを行いつつ、ユーザーがクイズを楽しめるようにすることができる。
【図面の簡単な説明】
【図１】本発明の第１の概略説明図である。
【図２】本発明の第２の概略説明図である。
【図３】本発明の第２の概略説明図である。
【図４】本発明のナビゲーション装置の構成図である。
【図５】物件データベースの説明図である。
【図６】本発明の目的地設定時のクイズ表示フローチャートである。
【図７】正解／不正解画面表示の説明図である。
【図８】物件詳細説明画面の説明図である。
【図９】本発明の誘導経路走行時のクイズ表示フローチャートである。
【図１０】本発明の変形例の説明図である。
【符号の説明】
ＱＩ・・クイズアイコン
ＱＰ・・物件の画像
ＱＴ・・クイズ（問い）
ＩＢ・・物件の詳細説明画面表示ボタン
ＡＢ・・物件の地点登録ボタン
【図１】
0003943301.tif 000002
【図２】
0003943301.tif 000003
【図３】
0003943301.tif 000004
【図４】
0003943301.tif 000005
【図５】
0003943301.tif 000006
【図６】
0003943301.tif 000007
【図７】
0003943301.tif 000008
【図８】
0003943301.tif 000009
【図９】
0003943301.tif 000010
【図１０】
0003943301.tif 000011